(57)【要約】アクセスポイント（ＡＰ）によって、複数のリソースユニット（ＲＵ）のうちの少なくとも１つのＲＵがサイレンシングされたことを示すインジケーションがその中に存在する、無線送受信ユニット（ＷＴＲＵ）のグループのためのアップリンク（ＵＬ）ＭＵ送信をスケジュールすることを含む、マルチユーザ（ＭＵ）送信のための方法、装置、およびシステムが、提供される。サイレンシングは、１つまたは複数の重なり合うアクセスポイントと調整を行うことに基づくことができ、またはＡＰと関連付けられたチャネルの状態を分析することによることができる。
2019511867.tif 000002
【特許請求の範囲】
【請求項１】
干渉を最小化するためにＩＥＥＥ８０２．１１ａｘアクセスポイント（ＡＰ）において使用される方法において、
１つもしくは複数の近隣ＡＰと調整を行うことによって、または前記ＡＰと関連付けられた１つもしくは複数のチャネルの状態を分析することによって、複数の無線送受信ユニット（ＷＴＲＵ）に送信される直交周波数分割多元接続（ＯＦＤＭＡ）信号の１つまたは複数のリソースユニット（ＲＵ）をサイレンシングすることに決定するステップと、
前記複数のＷＴＲＵのうちのＷＴＲＵと関連付けられた識別子を含むとともに、前記１つまたは複数のＲＵがサイレンシングされたことを示すインジケーションを含む、高効率信号−Ｂ（ＨＥ−ＳＩＧ−Ｂ）フィールドを生成するステップであって、前記ＨＥ−ＳＩＧ−Ｂ構造は、対応するＲＵがサイレンシングされ、データを搬送しないことを示す、事前決定された値に対応する、ＷＴＲＵ−ＩＤフィールドを含む、ステップと、
前記１つまたは複数のサイレンシングされたＲＵを含む前記ＨＥ−ＳＩＧ−Ｂフィールドを含む前記ＯＦＤＭＡ信号を、前記複数のＷＴＲＵに送信するステップと
を含む方法。
【請求項２】
前記複数のＷＴＲＵのタイミング調整情報のためのパディングを決定するステップと、
パディングおよびタイミング調整情報を、前記複数のＷＴＲＵに送信するステップと
をさらに含む請求項１に記載の方法。
【請求項３】
前記決定は、前記ＡＰと関連付けられたチャネルの状態を分析することに基づき、前記方法は、
前記１つまたは複数のＲＵのパケット失敗と関連付けられた少なくとも１つのストレージバケットをインクリメントすることと、
前記少なくとも１つのインクリメントされたストレージバケットと関連付けられた前記１つまたは複数のＲＵをサイレンシングすることと
を含む請求項１に記載の方法。
【請求項４】
前記決定は、前記ＡＰと関連付けられたチャネルの状態を分析することに基づき、前記方法は、
２６トーンＲＵ粒度におけるパケット失敗率が閾値を満たすかどうかを評価することと、
前記閾値が満たされたという条件において、前記パケット失敗率と関連付けられた前記１つまたは複数のＲＵのうちのＲＵをサイレンシングすることと
を含む請求項１に記載の方法。
【請求項５】
前記近隣ＡＰと調整を行うことは、
前記ＡＰの１つまたは複数の好ましいＲＵを選択することと、
前記１つまたは複数の近隣ＡＰの１つまたは複数の好ましいＲＵを示すインジケーションを受け取ることと、
前記１つまたは複数の近隣ＡＰが前記ＡＰの前記好ましいＲＵをサイレンシングすることを可能にするために、前記１つまたは複数の近隣ＡＰに、メッセージ、前記ＡＰの前記好ましいＲＵを示すインジケーションを送信することと
を含む請求項１に記載の方法。
【請求項６】
１つまたは複数の送受信機に動作可能に結合された１つまたは複数のプロセッサを備えるアクセスポイント（ＡＰ）において、
前記１つまたは複数のプロセッサによって、１つもしくは複数の近隣ＡＰと調整を行うことによって、または前記ＡＰと関連付けられた１つもしくは複数のチャネルの状態を分析することによって、複数の無線送受信ユニット（ＷＴＲＵ）に送信される直交周波数分割多元接続（ＯＦＤＭＡ）信号の１つまたは複数のリソースユニット（ＲＵ）をサイレンシングすることに決定することと、
前記１つまたは複数のプロセッサによって、前記複数のＷＴＲＵのうちのＷＴＲＵと関連付けられた識別子を含むとともに、前記１つまたは複数のＲＵがサイレンシングされたことを示すインジケーションを含む、高効率信号−Ｂ（ＨＥ−ＳＩＧ−Ｂ）フィールドを生成することであって、前記ＨＥ−ＳＩＧ−Ｂ構造は、対応するＲＵがサイレンシングされ、データを搬送しないことを示す、事前決定された値に対応する、ＷＴＲＵ−ＩＤフィールドを含む、生成することと、
前記１つまたは複数の送受信機によって、前記１つまたは複数のサイレンシングされたＲＵを含む前記ＨＥ−ＳＩＧ−Ｂフィールドを含む前記ＯＦＤＭＡ信号を、前記複数のＷＴＲＵに送信することと
を行うように構成されるＡＰ。
【請求項７】
前記１つまたは複数のプロセッサによって、前記複数のＷＴＲＵのタイミング調整情報のためのパディングを決定することと、
前記１つまたは複数の送受信機によって、パディングおよびタイミング調整情報を、前記複数のＷＴＲＵに送信することと
を行うようにさらに構成される請求項６に記載のＡＰ。
【請求項８】
前記決定することは、前記ＡＰと関連付けられたチャネルの状態を分析することに基づき、前記１つまたは複数のプロセッサは、
前記１つまたは複数のＲＵのパケット失敗と関連付けられた少なくとも１つのストレージバケットをインクリメントすることと、
前記少なくとも１つのインクリメントされたストレージバケットと関連付けられた前記１つまたは複数のＲＵをサイレンシングすることと
を行うようにさらに構成される請求項６に記載のＡＰ。
【請求項９】
前記決定することは、前記ＡＰと関連付けられたチャネルの状態を分析することに基づき、前記１つまたは複数のプロセッサは、
２６トーンＲＵ粒度におけるパケット失敗率が閾値を満たすかどうかを評価することと、
前記閾値が満たされたという条件において、前記パケット失敗率と関連付けられた前記１つまたは複数のＲＵのうちのＲＵをサイレンシングすることと
を行うようにさらに構成される請求項６に記載のＡＰ。
【請求項１０】
前記近隣ＡＰと調整を行う際に、前記ＡＰは、
前記１つまたは複数のプロセッサによって、前記ＡＰの１つまたは複数の好ましいＲＵを選択することと、
前記１つまたは複数の送受信機によって、前記１つまたは複数の近隣ＡＰの１つまたは複数の好ましいＲＵを示すインジケーションを受け取ることと、
前記１つまたは複数の送受信機によって、前記１つまたは複数の近隣ＡＰが前記ＡＰの前記好ましいＲＵをサイレンシングすることを可能にするために、前記１つまたは複数の近隣ＡＰに、メッセージ、前記ＡＰの前記好ましいＲＵを示すインジケーションを送信することと
を行うようにさらに構成される請求項６に記載のＡＰ。
【請求項１１】
干渉を最小化するためにＩＥＥＥ８０２．１１ａｘの無線送受信ユニット（ＷＴＲＵ）において使用される方法において、
アクセスポイント（ＡＰ）から、ＷＴＲＵ固有の高効率共通信号−Ｂ（ＨＥ−ＳＩＧ−Ｂ）を用いて、プリアンブルを含む直交周波数分割多重ＯＦＤＭＡ信号を受信するステップであって、前記ＨＥ−ＳＩＧ−Ｂフィールドは、少なくとも１つのＷＴＲＵ−ＩＤフィールドを含む、ステップと、
前記ＷＴＲＵ−ＩＤフィールド内の値が、対応するリソースユニットがサイレンシングされ、データを搬送しないことを示す、事前決定された値に対応するかどうかを決定するステップと、
前記決定に基づいて、前記受信されたＯＦＤＭＡ信号を処理するステップと
を含む方法。
【発明の詳細な説明】
【技術分野】
【０００１】
本発明は、ＷＬＡＮにおけるアップリンクマルチユーザ送信のためのクラス分けおよびサイレンシングに関する。
【背景技術】
【０００２】
関連出願の相互参照
本出願は、その内容が参照によって本明細書に組み込まれる、２０１６年３月１１日に出願された、米国特許仮出願第６２／３０７１４３号明細書の利益を主張する。
【０００３】
いくつかの電気電子技術者協会（ＩＥＥＥ）８０２．１１インフラストラクチャ動作モードにおいては、アクセスポイント（ＡＰ）は、プライマリチャネルと呼ばれる固定されたチャネル上において、ビーコンを送信する。このチャネルは、ＢＳＳの動作チャネルである。このチャネルは、ＡＰとの接続を確立するために、局（例えば、無線／有線送受信ユニット（ＷＴＲＵ））によっても使用される。８０２．１１システムにおける基本チャネルアクセスメカニズムは、キャリアセンス多重アクセス／衝突回避（ＣＳＭＡ／ＣＡ）である。この動作モードにおいては、ＡＰばかりでなく、あらゆるＷＴＲＵも、プライマリチャネルをセンスする。チャネルがビジーであることが検出された場合、ＷＴＲＵは、バックオフする。したがって、そのような構成においては、いずれの与えられた時間においても、１つのＷＴＲＵだけが、送信することができる。他の８０２．１１インフラストラクチャ動作モードにおいては、同じシンボル時間フレーム内に、複数のＷＴＲＵへのダウンリンクマルチユーザ多入力多出力（ＭＵ−ＭＩＭＯ）送信が、存在することができる。
【発明の概要】
【発明が解決しようとする課題】
【０００４】
ＡＰとともにＭＵ−ＭＩＭＯ送信に関与するＷＴＲＵは、同じチャネルまたはバンドを使用しなければならず、そのことが、動作帯域幅を、ＡＰとのＭＵ−ＭＩＭＯ送信に含まれるＷＴＲＵによってサポートされる、最小チャネル帯域幅に制限することがある。加えて、ＭＵ−ＭＩＭＯ方式におけるＷＴＲＵは、異なる送信電力クラスに属することができ、異なる処理能力を有することができ、タイミングのずれを有することができ、そのことが、貧弱なアップリンクＭＵ送信という結果をもたらすことがある。アップリンクマルチユーザ送信のためのクラス分け（classification）構成、サイレンシングプロトコル、タイミング同期、およびトリガパディングは、既存の８０２．１１動作モードの短所に対処することができる。
【課題を解決するための手段】
【０００５】
マルチユーザ（ＭＵ）送信のための方法、装置、およびシステムに関連する、様々な実施形態が、本明細書において提供される。１つまたは複数の方法は、アクセスポイント（ＡＰ）によって、無線送受信ユニット（ＷＴＲＵ）のグループのためのアップリンク（ＵＬ）ＭＵ送信を、ＷＴＲＵの送信電力クラスに従って、スケジュールするステップと、ＷＴＲＵによって、クラスＡおよびクラスＢの少なくとも一方から選択されるＷＴＲＵのどちらのクラスが、ＵＬ  ＭＵ送信について許可されているかを示すインジケーションを含む、トリガフレームを受信するステップとを含むことができる。方法は、ＡＰによって、ＷＴＲＵのグループのうちの許可されたＷＴＲＵの送信電力を較正するステップをさらに含むことができる。方法は、ＡＰによって、ＷＴＲＵのグループのためのＵＬ  ＭＵ送信を、ＷＴＲＵのグループからのパケットが同時にＡＰに到着するように、スケジュールするステップをさらに含むことができる。ＡＰは、複数のリソースユニット（ＲＵ）のうちの少なくとも１つのＲＵがサイレンシングされたことを示すインジケーションを、ＷＴＲＵに送信することもできる。
【０００６】
より詳細な理解は、添付の図面と併せて、例として与えられる、以下の説明から得ることができる。
【図面の簡単な説明】
【０００７】
【図１Ａ】１つまたは複数の開示される実施形態を実施することができる、例示的な通信システムのシステム図である。
【図１Ｂ】図１Ａに示される通信システム内において使用することができる、例示的な無線送受信ユニット（ＷＴＲＵ）のシステム図である。
【図１Ｃ】図１Ａに示される通信システム内において使用することができる、例示的な無線アクセスネットワークおよび例示的なコアネットワークのシステム図である。
【図２】１つまたは複数の開示される実施形態を実施することができる、例示的な通信システムのシステム図である。
【図３】１つまたは複数の実施形態に従った、例示的な２０ＭＨｚトーンプランの例を示す図である。
【図４】１つまたは複数の実施形態に従った、異なる電力クラスを有するＷＴＲＵのためのアップリンク送信の例示的なプロセスを示す図である。
【図５】１つまたは複数の実施形態に従った、高効率（ＨＥ）−ＳＩＧ−Ｂ構造の例の図である。
【図６Ａ】１つまたは複数の実施形態に従った、クラスＡおよびクラスＢ  ＷＴＲＵのための送信電力（ＴｘＰｗｒ）事前補正シグナリングの例を示す図である。
【図６Ｂ】１つまたは複数の実施形態に従った、クラスＡおよびクラスＢ  ＷＴＲＵのための送信電力（ＴｘＰｗｒ）事前補正シグナリングの例を示す図である。
【図６Ｃ】１つまたは複数の実施形態に従った、クラスＡおよびクラスＢ  ＷＴＲＵのための送信電力（ＴｘＰｗｒ）事前補正シグナリングの例を示す図である。
【図６Ｄ】１つまたは複数の実施形態に従った、クラスＡおよびクラスＢ  ＷＴＲＵのための送信電力（ＴｘＰｗｒ）事前補正シグナリングの例を示す図である。
【図６Ｅ】１つまたは複数の実施形態に従った、クラスＡおよびクラスＢ  ＷＴＲＵのための送信電力（ＴｘＰｗｒ）事前補正シグナリングの例を示す図である。
【図７】１つまたは複数の実施形態に従った、異なる電力クラスを有するＷＴＲＵのためのアップリンク送信の例示的なプロセスを示す図である。
【図８】１つまたは複数の実施形態に従った、例示的なリソースユニット（ＲＵ）割り当てテーブルを示す図である。
【図９Ａ】１つまたは複数の実施形態に従った、ＲＵサイレンシングのための例示的なＨＥ−ＳＩＧ−Ｂエンコーディングを示す図である。
【図９Ｂ】１つまたは複数の実施形態に従った、ＲＵサイレンシングのための例示的なＨＥ−ＳＩＧ−Ｂエンコーディングを示す図である。
【図９Ｃ】１つまたは複数の実施形態に従った、ＲＵサイレンシングのための例示的なＨＥ−ＳＩＧ−Ｂエンコーディングを示す図である。
【図９Ｄ】１つまたは複数の実施形態に従った、ＲＵサイレンシングを伴うＲＵ割り当てのための例示的なＨＥ−ＳＩＧ−Ｂエンコーディングを示す図である。
【図９Ｅ】１つまたは複数の実施形態に従った、ＲＵサイレンシングを伴うＲＵ割り当てのための例示的なＨＥ−ＳＩＧ−Ｂエンコーディングを示す図である。
【図１０】１つまたは複数の実施形態に従った、狭帯域干渉回避手順の例示的なプロセスを示す図である。
【図１１】１つまたは複数の実施形態に従った、ＲＵ割り当ての例示的なテーブルを示す図である。
【図１２Ａ】図２に示される通信システム内において生じることができる、例示的な通信シナリオのシステム図である。
【図１２Ｂ】１つまたは複数の実施形態に従った、干渉軽減手順の例示的なプロセスを示す図である。
【図１３Ａ】１つまたは複数の実施形態に従った、ＵＬ  ＭＵ送信のためのタイミング同期およびトリガパディングの例示的なプロセスを示す図である。
【図１３Ｂ】１つまたは複数の実施形態に従った、ＵＬ  ＭＵ送信のためのタイミング同期およびトリガパディングの例示的なプロセスを示す図である。
【発明を実施するための形態】
【０００８】
図１Ａは、１つまたは複数の開示される実施形態を実施することができる、例示的な通信システム１００の図である。通信システム１００は、音声、データ、ビデオ、メッセージング、放送などのコンテンツを複数の無線ユーザに提供する、多元接続システムとすることができる。通信システム１００は、複数の無線ユーザが、無線帯域幅を含むシステムリソースの共用を通して、そのようなコンテンツにアクセスすることを可能することができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用することができる。
【０００９】
図１Ａに示されるように、通信システム１００は、無線／有線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、有線または無線環境において動作および／または通信するように構成された、任意のタイプのデバイスとすることができる。例として、ＷＴＲＵ１０２ａ、１０２ｂ、１０２ｃ、１０２ｄは、無線信号を送信および／または受信するように構成することができ、ユーザ機器（ＵＥ）、移動局（ＳＴＡ）、固定もしくは移動加入者ユニット、ページャ、セルラ電話、パーソナルデジタルアシスタント（ＰＤＡ）、スマートフォン、ラップトップ、ネットブック、パーソナルコンピュータ、無線センサおよび家電製品などを含むことができる。
【００１０】
通信システム１００は、基地局１１４ａおよび基地局１１４ｂも含むことができる。基地局１１４ａ、１１４ｂの各々は、コアネットワーク１０６、インターネット１１０、および／または他のネットワーク１１２などの１つまたは複数の通信ネットワークへのアクセスを容易にするために、ＷＴＲＵ１０２ａ、１０２ｂ、１０２ｃ、１０２ｄのうちの少なくとも１つと無線でインターフェース接続するように構成された、任意のタイプのデバイスとすることができる。加えて、ＷＴＲＵ１０２ａ、１０２ｂ、１０２ｃ、１０２ｄは、アクセスポイント（ＡＰ）１７０ａ、１７０ｂと通信することができる。例として、基地局１１４ａ、１１４ｂは、基地送受信機局（ＢＴＳ）、ノードＢ、ｅノードＢ、ホームノードＢ、ホームｅノードＢ、サイトコントローラ、アクセスポイント（ＡＰ）、および無線ルータなどとすることができる。基地局１１４ａ、１１４ｂは、各々が、単一の要素として示されているが、基地局１１４ａ、１１４ｂは、任意の数の相互接続された基地局および／またはネットワーク要素を含むことができることが理解されよう。
【００１１】
基地局１１４ａは、ＲＡＮ１０４の部分とすることができ、ＲＡＮ１０４は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある、特定の地理的領域内において無線信号を送信および／または受信するように構成することができる。セルは、さらにセルセクタに分割することができる。例えば、基地局１１４ａに関連付けられたセルは、３つのセクタに分割することができる。したがって、一実施形態においては、基地局１１４ａは、送受信機を３つ、すなわち、セルのセクタ毎に１つずつ含むことができる。別の実施形態においては、基地局１１４ａは、多入力多出力（ＭＩＭＯ）技術を利用することができ、したがって、セルのセクタ毎に複数の送受信機を利用することができる。
【００１２】
基地局１１４ａ、１１４ｂは、エアインターフェース１１６上において、ＷＴＲＵ１０２ａ、１０２ｂ、１０２ｃ、１０２ｄのうちの１つまたは複数と通信することができ、エアインターフェース１１６は、任意の適切な無線通信リンク（例えば、無線周波（ＲＦ）、マイクロ波、赤外線（ＩＲ）、紫外線（ＵＶ）、可視光など）とすることができる。エアインターフェース１１６は、任意の適切な無線アクセス技術（ＲＡＴ）を使用して確立することができる。
【００１３】
より具体的には、上で言及されたように、通信システム１００は、多元接続システムとすることができ、ＣＤＭＡ、ＴＤＭＡ、ＦＤＭＡ、ＯＦＤＭＡ、およびＳＣ−ＦＤＭＡなどの、１つまたは複数のチャネルアクセス方式を利用することができる。例えば、ＲＡＮ１０４内の基地局１１４ａ、およびＷＴＲＵ１０２ａ、１０２ｂ、１０２ｃは、広帯域ＣＤＭＡ（ＷＣＤＭＡ）を使用してエアインターフェース１１６を確立することができる、ユニバーサル移動体通信システム（ＵＭＴＳ）地上無線アクセス（ＵＴＲＡ）などの無線技術を実装することができる。ＷＣＤＭＡ（登録商標）は、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１４】
別の実施形態においては、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１６を確立することができる、進化型ＵＭＴＳ地上無線アクセス（Ｅ−ＵＴＲＡ）などの無線技術を実装することができる。
【００１５】
他の実施形態においては、基地局１１４ａ、およびＷＴＲＵ１０２ａ、１０２ｂ、１０２ｃは、ＩＥＥＥ８０２．１６（すなわち、マイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭ（登録商標）エボリューション用の高速データレート（ＥＤＧＥ）、およびＧＳＭ  ＥＤＧＥ（ＧＥＲＡＮ）などの無線技術を実装することができる。
【００１６】
他の実施形態においては、基地局１１４ａ、およびＷＴＲＵ１０２ａ、１０２ｂ、１０２ｃは、５Ｇ、Ｗｉ−Ｇｉｇ、ニューラジオ、低待ち時間マシンツーマシン通信、および他の関連技術などの無線技術を実装することができる。
【００１７】
図１Ａの基地局１１４ｂは、例えば、無線ルータ、ホームノードＢ、ホームｅノードＢ、またはアクセスポイントとすることができ、職場、家庭、乗物、キャンパス、道路、および交差点などの局所的エリアにおける無線接続性を容易にするために、任意の適切なＲＡＴを利用することができる。一実施形態においては、基地局１１４ｂ、およびＷＴＲＵ１０２ｃ、１０２ｄは、ＩＥＥＥ８０２．１１などの無線技術を実装して、無線ローカルエリアネットワーク（ＷＬＡＮ）を確立することができる。別の実施形態においては、基地局１１４ｂ、およびＷＴＲＵ１０２ｃ、１０２ｄは、ＩＥＥＥ８０２．１５などの無線技術を実装して、無線パーソナルエリアネットワーク（ＷＰＡＮ）を確立することができる。また別の実施形態においては、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することがある。したがって、基地局１１４ｂは、コアネットワーク１０６を介してインターネット１１０にアクセスする必要がないことがある。
【００１８】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄのうちの１つまたは複数に提供するように構成された、任意のタイプのネットワークとすることができる。例えば、コアネットワーク１０６は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図１Ａには示されていないが、ＲＡＮ１０４および／またはコアネットワーク１０６は、ＲＡＮ１０４と同じＲＡＴまたは異なるＲＡＴを利用する他のＲＡＮと直接的または間接的に通信することができることが理解されよう。例えば、Ｅ−ＵＴＲＡ無線技術を利用することができるＲＡＮ１０４に接続するのに加えて、コアネットワーク１０６は、ＧＳＭ無線技術を利用する別のＲＡＮ（図示されず）とも通信することができる。
【００１９】
コアネットワーク１０６は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしての役割も果たすことができる。ＰＳＴＮ１０８は、基本電話サービス（ＰＯＴＳ）を提供する回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークおよびデバイスからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０４と同じＲＡＴまたは異なるＲＡＴを利用することができる１つまたは複数のＲＡＮに接続された、別のコアネットワークを含むことができる。
【００２０】
通信システム１００内のＷＴＲＵ１０２ａ、１０２ｂ、１０２ｃ、１０２ｄのいくつかまたはすべては、マルチモード機能を含むことができ、すなわち、ＷＴＲＵ１０２ａ、１０２ｂ、１０２ｃ、１０２ｄは、異なる無線リンク上で異なる無線ネットワークと通信するための複数の送受信機を含むことができる。例えば、図１Ａに示されるＷＴＲＵ１０２ｃは、セルラベースの無線技術を利用することができる基地局１１４ａと通信するように、またＩＥＥＥ８０２無線技術を利用することができる基地局１１４ｂと通信するように構成することができる。
【００２１】
図１Ｂは、例示的なＷＴＲＵ１０２のシステム図である。図１Ｂに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、非リムーバブルメモリ１３０と、リムーバブルメモリ１３２と、電源１３４と、全地球測位システム（ＧＰＳ）チップセット１３６と、他の周辺機器１３８とを含むことができる。ＷＴＲＵ１０２は、実施形態との整合性を保ちながら、上記の要素の任意のサブコンビネーションを含むことができることが理解されよう。
【００２２】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとすることができる。プロセッサ１１８は、信号符号化、データ処理、電力制御、入力／出力処理、および／またはＷＴＲＵ１０２が無線環境で動作することを可能にする他の任意の機能性を実行することができる。プロセッサ１１８は、送受信機１２０に結合することができ、送受信機１２０は、送信／受信要素１２２に結合することができる。図１Ｂは、プロセッサ１１８と送受信機１２０を別個の構成要素として示しているが、プロセッサ１１８と送受信機１２０は、電子パッケージまたはチップ内に一緒に統合することができることが理解されよう。
【００２３】
送信／受信要素１２２は、エアインターフェース１１６上において、基地局（例えば、基地局１１４ａ）に信号を送信し、または基地局から信号を受信するように構成することができる。例えば、一実施形態においては、送信／受信要素１２２は、ＲＦ信号を送信および／または受信するように構成されたアンテナとすることができる。別の実施形態においては、送信／受信要素１２２は、例えば、ＩＲ、ＵＶ、または可視光信号を送信および／または受信するように構成された放射器／検出器とすることができる。また別の実施形態においては、送信／受信要素１２２は、ＲＦ信号および光信号の両方を送信および受信するように構成することができる。送信／受信要素１２２は、無線信号の任意の組み合わせを送信および／または受信するように構成することができることが理解されよう。
【００２４】
加えて、図１Ｂにおいては、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態においては、ＷＴＲＵ１０２は、エアインターフェース１１６上において無線信号を送信および受信するための２つ以上の送信／受信要素１２２（例えば、複数のアンテナ）を含むことができる。
【００２５】
送受信機１２０は、送信／受信要素１２２によって送信されることになる信号を変調し、送信／受信要素１２２によって受信された信号を復調するように構成することができる。上で言及されたように、ＷＴＲＵ１０２は、マルチモード機能を有することができる。したがって、送受信機１２０は、ＷＴＲＵ１０２が、例えば、ＵＴＲＡおよびＩＥＥＥ８０２．１１など、複数のＲＡＴを介して通信することを可能にするための、複数の送受信機を含むことができる。
【００２６】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０および／またはリムーバブルメモリ１３２など、任意のタイプの適切なメモリからの情報にアクセスし、それらにデータを記憶することができる。非リムーバブルメモリ１３０は、ランダムアクセスメモリ（ＲＡＭ）、リードオンリメモリ（ＲＯＭ）、ハードディスク、または他の任意のタイプのメモリ記憶デバイスを含むことができる。リムーバブルメモリ１３２は、加入者識別モジュール（ＳＩＭ）カード、メモリスティック、およびセキュアデジタル（ＳＤ）メモリカードなどを含むことができる。他の実施形態においては、プロセッサ１１８は、サーバまたはホームコンピュータ（図示されず）上などに配置された、ＷＴＲＵ１０２上に物理的に配置されていないメモリからの情報にアクセスすることができ、それらにデータを記憶することができる。
【００２７】
プロセッサ１１８は、電源１３４から電力を受け取ることができ、ＷＴＲＵ１０２内の他の構成要素への電力の分配および／または制御を行うように構成することができる。電源１３４は、ＷＴＲＵ１０２に給電するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル金属水素（ＮｉＭＨ）、リチウムイオン（Ｌｉ−ｉｏｎ）など）、太陽電池、および燃料電池などを含むことができる。
【００２８】
プロセッサ１１８は、ＧＰＳチップセット１３６に結合することもでき、ＧＰＳチップセット１３６は、ＷＴＲＵ１０２の現在ロケーションに関するロケーション情報（例えば、経度および緯度）を提供するように構成することができる。ＧＰＳチップセット１３６からの情報に加えて、またはその代わりに、ＷＴＲＵ１０２は、基地局（例えば、基地局１１４ａ、１１４ｂ）からエアインターフェース１１６上においてロケーション情報を受信することができ、および／または２つ以上の近くの基地局から受信している信号のタイミングに基づいて、自らのロケーションを決定することができる。ＷＴＲＵ１０２は、実施形態との整合性を保ちながら、任意の適切なロケーション決定方法を用いて、ロケーション情報を獲得することができることが理解されよう。
【００２９】
プロセッサ１１８は、他の周辺機器１３８にさらに結合することができ、他の周辺機器１３８は、追加的な特徴、機能性、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【００３０】
図１Ｃは、実施形態による、ＲＡＮ１０４およびコアネットワーク１０６のシステム図である。上で言及されたように、ＲＡＮ１０４は、エアインターフェース１１６上においてＷＴＲＵ１０２ａ、１０２ｂ、１０２ｃと通信するため、Ｅ−ＵＴＲＡ無線技術を利用することができる。ＲＡＮ１０４は、コアネットワーク１０６と通信することもできる。
【００３１】
ＲＡＮ１０４は、ｅノードＢ１４０ａ、１４０ｂ、１４０ｃを含むことができるが、ＲＡＮ１０４は、実施形態との整合性を保ちながら、任意の数のｅノードＢを含むことができることが理解されよう。ｅノードＢ１４０ａ、１４０ｂ、１４０ｃは、各々が、エアインターフェース１１６上においてＷＴＲＵ１０２ａ、１０２ｂ、１０２ｃと通信するための１つまたは複数の送受信機を含むことができる。一実施形態においては、ｅノードＢ１４０ａ、１４０ｂ、１４０ｃは、ＭＩＭＯ技術を実装することができる。したがって、ｅノードＢ１４０ａは、例えば、複数のアンテナを使用して、ＷＴＲＵ１０２ａに無線信号を送信し、ＷＴＲＵ１０２ａから無線信号を受信することができる。
【００３２】
ｅノードＢ１４０ａ、１４０ｂ、１４０ｃの各々は、特定のセル（図示されず）に関連付けることができ、無線リソース管理決定、ハンドオーバ決定、ならびにアップリンクおよび／またはダウンリンクにおけるユーザのスケジューリングなどを処理するように構成することができる。図１Ｃに示されるように、ｅノードＢ１４０ａ、１４０ｂ、１４０ｃは、Ｘ２インターフェース上において互いに通信することができる。
【００３３】
図１Ｃに示されるコアネットワーク１０６は、モビリティ管理エンティティゲートウェイ（ＭＭＥ）１４２と、サービングゲートウェイ１４４と、パケットデータネットワーク（ＰＤＮ）ゲートウェイ１４６とを含むことができる。上記の要素の各々は、コアネットワーク１０６の部分として示されているが、これらの要素のうちのいずれの１つも、コアネットワークオペレータとは異なるエンティティによって所有および／または運営することができることが理解されよう。
【００３４】
ＭＭＥ１４２は、Ｓ１インターフェースを介して、ＲＡＮ１０４内のｅノードＢ１４０ａ、１４０ｂ、１４０ｃの各々に接続することができ、制御ノードとしての役割を果たすことができる。例えば、ＭＭＥ１４２は、ＷＴＲＵ１０２ａ、１０２ｂ、１０２ｃのユーザの認証、ベアラアクティブ化／非アクティブ化、ＷＴＲＵ１０２ａ、１０２ｂ、１０２ｃの初期接続中における特定のサービングゲートウェイの選択などを担うことができる。ＭＭＥ１４２は、ＲＡＮ１０４と、ＧＳＭまたはＷＣＤＭＡなどの他の無線技術を利用する他のＲＡＮ（図示されず）との間の交換のためのコントロールプレーン機能を提供することもできる。
【００３５】
サービングゲートウェイ１４４は、Ｓ１インターフェースを介して、ＲＡＮ１０４内のｅノードＢ１４０ａ、１４０ｂ、１４０ｃの各々に接続することができる。サービングゲートウェイ１４４は、一般に、ユーザデータパケットのＷＴＲＵ１０２ａ、１０２ｂ、１０２ｃへの／からのルーティングおよび転送を行うことができる。サービングゲートウェイ１４４は、ｅノードＢ間ハンドオーバ中におけるユーザプレーンのアンカリング、ダウンリンクデータがＷＴＲＵ１０２ａ、１０２ｂ、１０２ｃに利用可能なときのページングのトリガ、ならびにＷＴＲＵ１０２ａ、１０２ｂ、１０２ｃのコンテキストの管理および記憶など、他の機能を実行することもできる。
【００３６】
サービングゲートウェイ１４４は、ＰＤＮゲートウェイ１４６に接続することもでき、ＰＤＮゲートウェイ１４６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００３７】
コアネットワーク１０６は、他のネットワークとの通信を容易にすることができる。例えば、コアネットワーク１０６は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスとの間の通信を容易にすることができる。例えば、コアネットワーク１０６は、コアネットワーク１０６とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、コアネットワーク１０６は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【００３８】
他のネットワーク１１２は、さらに、ＩＥＥＥ８０２．１１ベースの無線ローカルエリアネットワーク（ＷＬＡＮ）１６０に接続することができる。ＷＬＡＮ１６０は、アクセスルータ１６５を含むことができる。アクセスルータは、ゲートウェイ機能性を含むことができる。アクセスルータ１６５は、複数のアクセスポイント（ＡＰ）１７０ａ、１７０ｂと通信することができる。アクセスルータ１６５とＡＰ１７０ａ、１７０ｂとの間の通信は、有線イーサネット（登録商標）（ＩＥＥＥ８０２．３規格）、または任意のタイプの無線通信プロトコルを介することができる。ＡＰ１７０ａは、エアインターフェース上において、ＷＴＲＵ１０２ｄと無線通信する。
【００３９】
図２は、１つまたは複数の開示される実施形態を実施することができる、例示的な通信システム２００の図である。図２は、基本サービスセット（ＢＳＳ）２０３用のアクセスポイント（ＡＰ）２０１ａと、無線インターフェース２１６を介してＡＰ２０１ａと関連付けられた１つまたは複数のＷＴＲＵ２０２ａ、２０２ｂとを備える、インフラストラクチャＢＳＳ２０３モードにある、無線ローカルエリアネットワーク（ＷＬＡＮ）を有する、通信システム２００の例を示している。ＡＰ２０１ａ、２０１ｂは、有線インターフェース（図示されず）を介して、ＷＴＲＵに接続することもできる。ＡＰ２０１ａ、２０１ｂは、一般に、トラフィックをＢＳＳに、およびＢＳＳから搬送する、ディストリビューションシステム（ＤＳ）または別のタイプの有線／無線ネットワークに対するアクセスまたはインターフェースを有することができる。ＡＰは、基地局、ゲートウェイ、モデム、情報指向ネットワークゲートウェイもしくはアクセスポイント、コンテンツ指向ネットワークゲートウェイもしくはアクセスポイント、ソフトウェア定義型ネットワークゲートウェイもしくはアクセスポイント、トラフィックのソース、または他のネットワーク機能といった機能を実行することができる。ＤＳ機能は、ＡＰ２０１ｂによって、インターネットなどのネットワーク２０６への接続を有するビルドインモデムを用いて、容易にすることができ、またはＡＰ２０１ａは、モデム２０４を通したネットワークへのアクセスを獲得することができる。ネットワーク２０６は、他のネットワークまたはソース／デバイスへの接続を容易にする、インターネットまたは他のネットワークとすることができる。ＢＳＳの外部から発信されたＷＴＲＵ２０２ａ、２０２ｂへのトラフィックは、ＡＰ２０１ａを通して到着する。ＷＴＲＵ２０２ａ、２０２ｂから発信された、ＢＳＳ２０３の外部の送信先へのトラフィックは、ＡＰ２０１ａに送信されてから、それぞれの送信先に送信される。ＢＳＳ２０３内のＷＴＲＵ２０２ａ、２０２ｂ間のトラフィックも、ＡＰ２０１ａを通して送信することができ、送信元ＷＴＲＵ２０２ａは、トラフィックをＡＰ２０１ａに送信し、ＡＰ２０１ａは、トラフィックを送信先ＷＴＲＵ２０２ｂに配信する。ＢＳＳ２０３内のＷＴＲＵ２０２ａ、２０２ｂ間のそのようなトラフィックは、類似したピアツーピアトラフィックとすることができる。ＷＴＲＵ２０２ａ、２０２ｂ間のトラフィックは、８０２．１１ｅ  ＤＬＳまたは８０２．１１ｚトンネルドＤＬＳ（ＴＤＬＳ）を使用する、直接リンクセットアップ（ＤＬＳ）を用いて、送信元ＷＴＲＵ２０２ａと送信先ＷＴＲＵ２０２ｂとの間で直接的に送信することもできる。独立ＢＳＳ（ＩＢＳＳ）モードにおけるＷＬＡＮは、ＡＰを有さないことができ、ＷＴＲＵは、互いに直接的に通信する。この通信モードは、「アドホック」通信モードと呼ばれることがある。別の実施形態においては、ＡＰ２０１ａ、２０２ｂは、無線インターフェース２１７上において、または有線接続を通して、通信することができる。
【００４０】
いくつかの８０２．１１インフラストラクチャ動作モードにおいては、ＡＰは、プライマリチャネルと呼ばれる固定されたチャネル上において、ビーコンを送信することができる。このチャネルは、２０ＭＨｚ幅とすることができ、ＢＳＳの動作チャネルとすることができる。このチャネルは、ＡＰとの接続を確立するために、ＷＴＲＵによって使用することもできる。８０２．１１システムにおける基本チャネルアクセスメカニズムは、キャリアセンス多重アクセス／衝突回避（ＣＳＭＡ／ＣＡ）とすることができる。この動作モードにおいては、ＡＰを含む、あらゆるＷＴＲＵが、プライマリチャネルをセンスすることができる。チャネルがビジーであることが検出された場合、ＷＴＲＵは、バックオフすることができる。したがって、そのような構成の与えられたＢＳＳにおいては、任意の与えられた時間に、ただ１つのＷＴＲＵが、送信することができる。
【００４１】
参考に、８０２．１１ｎおよび８０２．１１ａｃは、２から６ＧＨｚの周波数において動作することができる。８０２．１１ｎにおいては、高スループット（ＨＴ）ＷＴＲＵは、通信のために、４０ＭＨｚ幅チャネルを使用することができる。これは、プライマリ２０ＭＨｚチャネルを別の隣接２０ＭＨｚチャネル組み合わせて、４０ＭＨｚ幅チャネルを形成することによって達成することができる。８０２．１１ａｃにおいては、超高スループット（ＶＨＴ）ＷＴＲＵは、２０ＭＨｚ、４０ＭＨｚ、８０ＭＨｚ、および１６０ＭＨｚ幅チャネルをサポートすることができる。４０ＭＨｚおよび８０ＭＨｚチャネルは、上の例と同様に、連続する２０ＭＨｚチャネルを組み合わせることによって、形成することができるが、１６０ＭＨｚチャネルは、８つの連続する２０ＭＨｚチャネルを組み合わせることによって、または２つの非連続な８０ＭＨｚチャネルを組み合わせることのいずれかによって（８０＋８０構成）、形成することができる。
【００４２】
「８０＋８０」構成についての例として、データは、チャネルエンコーディングの後、それを２つのストリームに分割する、セグメントパーサを通過させられる。ＩＦＦＴおよび時間ドメイン処理が、各ストリームに対して別々に行われる。ストリームは、その後２つのチャネルにマッピングすることができ、データは、送出される。受信側においては、このメカニズムは、逆転することができ、組み合わされたデータは、ＭＡＣに送られる。
【００４３】
また、送信要求（ＲＴＳ）−送信可（ＣＴＳ）についてのショートインターフレーム間隔（ＳＩＦＳ）（すなわち、ＲＴＳ−ＣＴＳ  ＳＩＦＳ）は、１６μｓとすることができ、ガードインターバル（ＧＩ）は、０．８μｓとすることができる。１００ｍ以内のノードからの送信は、ＧＩ内に留まることができるが、１００ｍを超えると、遅延は、０．８μｓよりも長くなることがある。１ｋｍにおいては、遅延は、６μｓを超えることがある。
【００４４】
ＩＥＥＥ８０２．１１ａｆおよびＩＥＥＥ８０２．１１ａｈは、１ＧＨｚ未満の周波数において、動作することができる。８０２．１１ａｆおよび８０２．１１ａｈについては、チャネル動作帯域幅は、８０２．１１ｎおよび８０２．１１ａｃと比べて、低減することができる。８０２．１１ａｆは、ＴＶホワイトスペース（ＴＶＷＳ）スペクトルにおいて、５ＭＨｚ、１０ＭＨｚ、および２０ＭＨｚ幅バンドをサポートすることができ、一方、８０２．１１ａｈは、非ＴＶＷＳにおいて、１ＭＨｚ、２ＭＨｚ、４ＭＨｚ、８ＭＨｚ、および１６ＭＨｚをサポートすることができる。いくつかの実施形態においては、８０２．１１ａｈにおいて使用されるＷＴＲＵは、限られた能力を有するセンサとすることができ、１および２ＭＨｚ送信モードだけをサポートすることができる。
【００４５】
ＩＥＥＥ８０２．１１ｎ、８０２．１１ａｃ、８０２．１１ａｆ、および８０２．１１ａｈなど、複数のチャネル幅を利用するＷＬＡＮシステムにおいては、ＢＳＳ内のすべてのＷＴＲＵによってサポートされる最大共通動作帯域幅に等しい帯域幅を有することができる、プライマリチャネルが、存在することができる。したがって、プライマリチャネルの帯域幅は、最小帯域幅動作モードをサポートするＷＴＲＵによって、制限されることがある。８０２．１１ａｈの例においては、１および２ＭＨｚモードだけをサポートするＷＴＲＵが、存在する場合、ＢＳＳ内のＡＰおよび他のＷＴＲＵが、４ＭＨｚ、８ＭＨｚ、および１６ＭＨｚ動作モードをサポートすることができるとしても、プライマリチャネルは、１または２ＭＨｚ幅とすることができる。すべてのキャリアセンシング、およびＮＡＶ設定は、プライマリチャネル上のステータスに依存することができる。例えば、１および２ＭＨｚ動作モードだけをサポートするＷＴＲＵが、ＡＰに送信しているせいで、プライマリチャネルが、ビジーである場合、利用可能な周波数バンド全体は、それの大部分がアイドルのままであり、利用可能であるとしても、ビジーであると見なすことができる。８０２．１１ａｈおよび８０２．１１ａｆにおいては、すべてのパケットは、８０２．１１ａｃ仕様と比べて、４または１０倍ダウンクロックされたクロックを使用して、送信することができる。
【００４６】
米国においては、８０２．１１ａｈによって使用することができる利用可能な周波数バンドは、９０２ＭＨｚから９２８ＭＨｚまでの範囲にあることができ、韓国においては、それは、９１７．５ＭＨｚから９２３．５ＭＨｚまでとすることができ、日本においては、それは、９１６．５ＭＨｚから９２７．５ＭＨｚまでとすることができる。したがって、８０２．１１ａｈについての利用可能な全帯域幅は、国コードに応じて、６ＭＨｚから２６ＭＨｚとすることができる。
【００４７】
スペクトル効率を改善するために、８０２．１１ａｃは、同じシンボル時間フレームにおける、例えば、ダウンリンク直交周波数分割多重（ＯＦＤＭ）シンボルの間における、複数のＷＴＲＵへのダウンリンクマルチユーザＭＩＭＯ（ＭＵ−ＭＩＭＯ）送信の概念を使用することができる。８０２．１１ａｃ  ＭＵ−ＭＩＭＯにおける、複数のＷＴＲＵへの波形伝送の干渉は、複数のＷＴＲＵについて、同じシンボルタイミングが使用されるので、問題としないことができる。しかしながら、ＡＰとともに８０２．１１ａｃ  ＭＵ−ＭＩＭＯ送信に関与する、すべてのＷＴＲＵは、動作帯域幅を、ＡＰとともにＭＵ−ＭＩＭＯ送信に含まれるＷＴＲＵによってサポートされる最小チャネル帯域幅に制限することがある、同じチャネルまたはバンドを使用しなければならない。ダウンリンクＭＵ−ＭＩＭＯは、８０２．１１ａｈとも使用することができる。
【００４８】
上で言及されたように、８０２．１１ａｃは、最大８つの連続な２０ＭＨｚチャネルを組み合わせることによって、または２つの非連続な８０ＭＨｚチャネルを組み合わせることによって、チャネルを形成することができる。８０２．１１ａｃにおける送信手順は、送信および受信のために、割り当てられた帯域幅全体の使用を仮定することができる。比較すると、ＩＥＥＥ８０２．１１ａｘは、８０２．１１ａｃの性能を高めることができ、特に、それは、スペクトル効率、エリアスループット、ならびに衝突および干渉に対するロバスト性に対処することができる。８０２．１１ａｃの性能に対処するために使用することができる、１つの方法は、直交周波数分割多元接続（ＯＦＤＭＡ）とすることができる。ＯＦＤＭＡを、８０２．１１ａｃなどのＷｉ−Ｆｉ規格に適用するときは、後方互換性問題が、考慮されることがある。協調直交ブロックベースリソース割り当て（ＣＯＢＲＡ）は、ＯＦＤＭＡ方法を導入して、Ｗｉ−Ｆｉ後方互換性およびチャネルベースのリソーススケジューリングに対処することができる。例えば、ＣＯＢＲＡは、複数のより小さい周波数−時間リソースユニット上における送信を可能にすることができる。したがって、複数のＷＴＲＵは、重なり合わない周波数−時間リソースユニットに割り当てることができ、同時に送信および受信することを可能にすることができる。サブチャネルは、ＡＰがＷＴＲＵに割り当てることができる、基本周波数リソースユニットとして、定義することができる。例えば、８０２．１１ｎ／ａｃとの後方互換性の事例においては、サブチャネルは、２０ＭＨｚチャネルとして定義することができる。
【００４９】
ＣＯＢＲＡは、送信および符号化方式のための基礎として、マルチキャリア変調、フィルタリング、時間、周波数、空間、および偏波領域を含むことができる。
【００５０】
ＣＯＢＲＡ方式は、ＯＦＤＭＡサブチャネライゼーション、シングルキャリア周波数分割多元接続（ＳＣ−ＦＤＭＡ）サブチャネライゼーション、および／またはフィルタバンクマルチキャリアサブチャネライゼーションのうちの少なくとも１つを使用して、実施することができる。
【００５１】
ＣＯＢＲＡ送信を可能にするために、以下の特徴を、すなわち、カバレージ範囲拡張のための方法、ユーザをグループ化する方法、チャネルアクセスのための方法、低オーバヘッドのためのプリアンブル設計、ビームフォーミングおよびサウンディングのための方法、周波数およびタイミング同期のための方法、ならびにリンクアダプテーションのための方法を導入することができる。
【００５２】
マルチユーザ並列チャネルアクセス（ＭＵ−ＰＣＡ）、およびシングルユーザ並列チャネルアクセス（ＳＵ−ＰＣＡ）方式も、企図することができる。ＭＵ−ＰＣＡは、対称帯域幅を用いる送信／受信を使用するマルチユーザ／シングルユーザ並列チャネルアクセス、および非対称帯域幅を用いるマルチユーザ／シングルユーザＰＣＡ送信／受信を含む、ＣＯＢＲＡとともに導入されたものに対するいくつかの追加の方法に対処することができる。
【００５３】
対称帯域幅を用いる送信／受信を使用するマルチユーザ／シングルユーザＰＣＡについての検討事項は、複数／単一ユーザのためのダウンリンク並列チャネルアクセス、複数／単一ユーザのためのアップリンク並列チャネルアクセス、複数／単一ユーザのための組み合わされたダウンリンクおよびアップリンクＰＣＡ、ＳＵ−ＰＣＡおよびＣＯＢＲＡについての等しくない変調符号化方式（ＭＣＳ）および等しくない送信電力をサポートするための設計、対称帯域幅を用いる送信／受信を使用するマルチユーザ／シングルユーザ並列チャネルアクセスをサポートするためのＰＨＹレイヤ設計および手順、ならびに混合ＭＡＣ／ＰＨＹレイヤＭＵ−ＰＣＡを含むことができる。
【００５４】
非対称帯域幅を用いるマルチユーザ／シングルユーザＰＣＡ送信／受信についての検討事項は、ダウンリンクのためのＭＡＣレイヤ設計および手順、非対称帯域幅を用いる送信／受信を使用するマルチユーザ／シングルユーザ並列チャネルアクセスのためのアップリンク、および組み合わされたアップリンクおよびダウンリンク、ならびに非対称帯域幅を用いる送信／受信を使用するマルチユーザ／シングルユーザ並列チャネルアクセスをサポートするためのＰＨＹレイヤ設計および手順を含むことができる。
【００５５】
図３は、アップリンク（ＵＬ）マルチユーザ動作のために使用することができる、２０ＭＨｚトーンプランの例を示している。８０２．１１ａｘにおいては、アップリンクマルチユーザ物理レイヤ収束手順（ＰＬＣＰ）プロトコルデータユニット（ＰＰＤＵ）を、ＭＵ−ＭＩＭＯまたはＯＦＤＭＡのために定義することができる。このＰＰＤＵは、ＡＰによって送信されたトリガフレームに対する応答として、送信される。トリガフレームは、異なるＷＴＲＵを、異なるリソース（ＯＦＤＭＡのケースにおいては、特定のリソースユニット）に割り当てる。ＢＳＳが２０ＭＨｚチャネルから成る、図３の例においては、８０２．１１ａｘ仕様フレームワーク文書（ＳＦＤ）は、以下のようなＯＦＤＭＡ構築ブロックを提案しており、３０１の行は、使用可能なトーンを表し、行３０２は、決定されることになる４つの残りのトーンを有する、２６トーンＲＵを表し、行３０３は、決定されることになる４つの残りのトーンを有する、１つの２６トーンＲＵを加えた、５２トーンＲＵを表し、行３０４は、１つの２６トーンを加えた、１０６トーンＲＵを表し、行３０５は、２４２トーンＲＵ非ＯＦＤＭＡを表す。図３に示される例は、７つのＤＣヌルを表す３０６、および３つのＤＣヌルを表す３０７も示している。４０ＭＨｚ、８０ＭＨｚ、１６０ＭＨｚ、および８０＋８０ＭＨｚについても、同様の構築ブロックを、定義することができる。
【００５６】
一実施形態においては、クラスＡおよびクラスＢデバイスのための８０２．１１ａｘ規格は、アップリンクマルチユーザ送信のための要件を有することができる。送信（Ｔｘ）電力制御についての要件は、必要とされる最小Ｔｘ電力が、サポートされる少なくともＭＣＳ７について、ＴｘＥＶＭを伴う、ｍａｘ（Ｐ−３２，−１０）ｄＢｍであるとすることができる。ＲＳＳＩ測定正確性（Accuracy：精度）についての要件は、クラスＡ（Ｔｘ電力：＋／−３ｄＢ、ＲＳＳＩ測定：＋／−２ｄＢ）、クラスＢ（Ｔｘ電力：＋／−９ｄＢ、ＲＳＳＩ測定：＋／−５ｄＢ）とすることができる。キャリア周波数オフセット（ＣＦＯ）についての要件は、＠−６０ｄＢｍを超えるＲｘを用いる場合、ＡＷＧＭにおいて３５０Ｈｚであることとすることができる。タイミングについての要件は、トリガフレームに関して＋／−０．４μｓｅｃであることとすることができる。局部発振器（ＬＯ）漏れについての要件は、分解能帯域幅７８．１２５ｋＨｚを使用して、ＲＦ  ＬＯのロケーションにおいて測定された電力が、ｍａｘ（Ｐ−３２，−２０）であることとすることができる。サンプリング周波数オフセットについての要件は、中心周波数およびシンボルクロック周波数が同じ基準発振器から導出されることとすることができる。これらの要件は、８０２．１１に関連する規格において定義されたＵＬ  ＭＵメカニズムに対する意味（implications）を有することができる。
【００５７】
図２に関連して説明されたものなどの通信システムから生じる状況においては、ＭＵ方式において、異なる電力クラスを有するＷＴＲＵ（例えば、クラスＡおよびクラスＢデバイス）が含まれる、アップリンク送信が、存在することができる。そのような状況においては、タイミングずれ、ドップラ、発振器などに起因する、周波数誤差は、ＵＬ  ＭＵ送信のためのリソースユニット（ＲＵ）間における、何らかのキャリア間干渉（ＩＣＩ）をもたらし得る。直交性が失われると、より強い信号からより弱い信号への著しい干渉が、発生することがある。この干渉に対処するための１つの手法は、電力がＡＰにおいてほぼ同じになることを保証するように、ＷＴＲＵからの電力を事前補正することとすることができる。事前補正は、ロケーション、エネルギーなどに起因する、ＷＴＲＵの異なる到着電力（arrival power）を補償することができる。いくつかの事例においては、到着電力差は、より大きい差を許容することができないので、ＲＵ＝２６、６４ＱＡＭについては、ＩＣＩからの制限されたマルチユーザ干渉のために、１０ｄＢ以内とすることができる。さらに、アップリンククライアント間における電力差は、最も高いレートについては、約６ｄＢ、より低いレートについては、さらに大きいものとできる。しかしながら、キャリア間隔が３１２．５ｋＨｚであるＵＬ  ＭＩＭＯについての結果は、キャリア間隔が７８．１ｋＨｚであるＵＬ  ＭＵ  ＯＦＤＭＡについては、タスクグループａｘ（ＴＧａｘ）のほうが、より影響を受け得る（more sensitive）。
【００５８】
事前補正においては、デバイス能力の一部として情報が交換される、高効率（ＨＥ）トリガベースＰＰＤＵをサポートする、２つのＷＴＲＵ送信電力クラス、クラスＡおよびクラスＢが、存在することができる。クラスＡは、高能力デバイスであるＷＴＲＵを含むことができ、クラスＢは、低能力のデバイスであるＷＴＲＵを含むことができる。
【００５９】
ＨＥトリガベースＰＰＤＵを送信するＷＴＲＵは、２つのデバイスクラスのために、絶対送信電力要件、および受信信号強度インジケータ（ＲＳＳＩ）測定精度要件をサポートすることができる。絶対送信電力精度（accuracy）のためのパラメータから、クラスＢは、１８ｄＢの差を有することができ、一方、クラスＡは、６ｄＢの差を有することができる。クラスＢ  ＷＴＲＵについては１０ｄＢ、およびクラスＡ  ＷＴＲＵについては４ｄＢにわたる範囲のＲＳＳＩ測定精度と結合されるとき、到着電力の全体は、より大きい不一致を有することがある。
【００６０】
クラスＡおよびクラスＢデバイスの混合が存在するシナリオにおいては、異なる要件は、貧弱なアップリンクＭＵ送信をもたらし得る。異なる電力クラスに属するＷＴＲＵが、アップリンクマルチユーザ送信に参加することができることを保証するための方法を、検討することができる。
【００６１】
１つまたは複数の実施形態によれば、ＵＬ  ＭＵ送信は、特定のＷＴＲＵクラスに制限することができる。例えば、異なるクラスのＷＴＲＵが同時に送信することを制限することができる。そのため、同じＵＬ送信において、クラスＡデバイスをクラスＢデバイスとともにスケジュールしてはならない。
【００６２】
ランダムアクセス（ＲＡ）アップリンク送信については、許可されるデバイスのクラスは、トリガフレーム内においてシグナリングすることができる。加えて、ＡＰによって使用される送信電力、およびＡＰにおいて望まれる目標受信電力も、ＲＡ  ＷＴＲＵが、ＡＰにおける目標受信電力に基づいて、使用する送信電力を推定することを可能にするために、トリガフレーム内においてシグナリングすることができる。
【００６３】
一実施形態においては、異なるクラスのＷＴＲＵは、いかなる制限もなしに、一緒にスケジュールすること（または、ランダムアクセス方式でリソースにアクセスすることを許可されること）ができる
別の実施形態においては、異なるクラスのＷＴＲＵは、いかなる制限もなしに、一緒にスケジュールすることができるが、ランダムアクセス方式でリソースにアクセスすることを許可されるＷＴＲＵは、特定のクラスに制限される。
【００６４】
図４は、ＵＬ  ＭＵ送信を特定のＷＴＲＵクラスに制限するために使用することができる手順の例を示している。ＡＰは、４０１において、ＷＴＲＵ能力に基づいて、ＷＴＲＵの電力クラスを識別することができる。一例においては、ＷＴＲＵ１、ＷＴＲＵ２、ＷＴＲＵ３、およびＷＴＲＵ４は、クラスＡ  ＷＴＲＵであり、ＷＴＲＵ５、ＷＴＲＵ６、ＷＴＲＵ７、およびＷＴＲＵ８は、クラスＢ  ＷＴＲＵであると仮定する。ＷＴＲＵの識別された電力クラスに従って、ＡＰは、４０２において、送信のために、ＷＴＲＵをスケジュールすることができ、ランダムアクセスのために、いくつかのリソースを確保することができる。４０３において、ＡＰは、送信を受信し、その後、送信の肯定応答をＷＴＲＵに返信することができる。
【００６５】
図５は、８０２．１１ａｘのためのＨＥ−ＳＩＧ−Ｂフィールド構造の例を示している。ＨＥ−ＳＩＧ−Ｂフィールド５０１は、共通およびユーザ固有の要素またはサブフィールドを含むことができる。共通サブフィールド５０２においては、８ビットフィールドは、周波数領域におけるＲＵ割り当て、ＭＵ−ＭＩＭＯのために割り当てられたＲＵ、および割り当てられたユーザの数を示すことができる。ユーザ固有のサブフィールドは、共通サブフィールドの後に続き、ユーザ毎の専用情報を有することができる。共通サブフィールド５０２は、共通ビットを含む、１つの２進畳み込み符号化（ＢＣＣ）ブロック５０３を含むことができる。ユーザ固有サブフィールド５０３は、５０４ａ、５０４ｂ、および５０５に示されるように、各々が、ユーザの数、巡回冗長検査（ＣＲＣ）、およびテールについてのユーザ毎の専用情報を有する、複数のＢＣＣブロックを含むことができる。ユーザ固有サブフィールド５０３は、末尾に、パディングブロックを含むこともできる。
【００６６】
図６Ａ〜図６Ｅは、クラスＡおよびＢ  ＷＴＲＵにおける、事前補正シグナリングのための送信電力に関連するシグナリングの例を示している。図６Ａは、ＡＰが、クラスＡ  ＷＴＲＵが送信することだけを許可し、ＡＰが、ＵＬ  ＭＵ送信のためにＷＴＲＵ１およびＷＴＲＵ２（すなわち、クラスＡ  ＷＴＲＵ）をスケジュールし、同時に、ランダムアクセスのためのリソースを確保することができる、１つの例示的な構成を示している。ＡＰは、その後、リソース情報を有するトリガフレームを送信することができる。ここで、トリガフレームは、ＷＴＲＵ１およびＷＴＲＵ２のために割り当てられたリソース、ランダムアクセスのために割り当てられたリソース、ならびに／またはランダムアクセスのために許されたＷＴＲＵ（例えば、ＷＴＲＵ３およびＷＴＲＵ４）のクラスを示すことができる。スケジューリングが、クラスＡ  ＷＴＲＵだけのためである場合、共通ＨＥ−ＳＩＧ−Ｂフィールドにおいて、送信機電力制御（ＴＰＣ）パラメータをシグナリングすることができる。これは、共通ＴＰＣシグナリングと呼ばれる。例示的な構成は、クラスＡ  ＷＴＲＵのためのＵＬ  ＭＵ送信だけを許可し、クラスＢ  ＷＴＲＵのためのＵＬ  ＭＵ送信を不許可とすることができる。
【００６７】
図６Ｂおよび図６Ｃは、ＡＰが、クラスＢ  ＷＴＲＵが送信することだけを許可し、ＡＰが、ＵＬ  ＭＵ送信のためにＷＴＲＵ５およびＷＴＲＵ６（すなわち、クラスＢ  ＷＴＲＵ）をスケジュールし、同時に、ランダムアクセスのためのリソースを確保することができる、例示的な構成を示している。ここで、トリガフレームは、ＷＴＲＵ５およびＷＴＲＵ６のために割り当てられたリソース、ランダムアクセスのために割り当てられたリソース、ならびにはランダムアクセスのために許されたＷＴＲＵ（例えば、ＷＴＲＵ７およびＷＴＲＵ８）のクラスを示すことができる。クラスＢ  ＷＴＲＵが、スケジュールされる場合、ＴＰＣパラメータは、各ユーザに、各ユーザ固有のＨＥ−ＳＩＧ−Ｂフィールド内のその特定のユーザの送信電力およびＲＳＳＩ測定正確性／不正確性を補償する方法で、別々に送信することができる。例えば、ＡＰは、各ＷＴＲＵのために必要とされる補償を推定するために、較正を実行することをさらに必要とすることがある。追加的／代替的なシグナリング選択肢においては、共通ＴＰＣパラメータは、共通ＨＥ−ＳＩＧ−Ｂフィールド内において送信することができ、ＡＰによって必要とされる目標受信電力を示すために使用することができ、一方、ユーザ固有のＴＰＣパラメータは、測定における追加の変動性を補償するために、各ユーザ固有のＨＥ−ＳＩＧ−Ｂフィールド内において送信される。加えて、またはあるいは、シグナリング選択肢は、目標受信電力を識別し、測定における追加の変動性を補償するために、各ユーザ固有のＨＥ−ＳＩＧ−Ｂフィールド内において送信される、ユーザ固有のＴＰＣパラメータだけを有することができる。
【００６８】
図６Ｄおよび図６Ｅは、クラスＡおよびクラスＢ  ＷＴＲＵの両方が、送信することを許可され、ＡＰが、ＵＬ  ＭＵ送信のためにＷＴＲＵ１およびＷＴＲＵ２、ＷＴＲＵ５およびＷＴＲＵ６（すなわち、クラスＡおよびクラスＢ  ＷＴＲＵ）をスケジュールし、同時に、ランダムアクセスのためのリソースを確保することができる、例示的な構成を示している。ここで、トリガフレームは、ＷＴＲＵ１、ＷＴＲＵ２、ＷＴＲＵ５、およびＷＴＲＵ６のために割り当てられたリソース、ランダムアクセスのために割り当てられたリソース、ならびにはランダムアクセスのために許されたＷＴＲＵ（例えば、ＷＴＲＵ３、ＷＴＲＵ４、ＷＴＲＵ７、およびＷＴＲＵ８）のクラスを示すことができる。クラスＡおよびクラスＢ  ＷＴＲＵの両方が、スケジュールされる場合、ＴＰＣパラメータは、各ユーザに、各ユーザ固有のＨＥ−ＳＩＧ−Ｂフィールド内のその特定のユーザの変動性を考慮する方法で、別々に送信することができる。ＡＰは、各クラスＢ  ＷＴＲＵのために必要とされる補償を推定するために、較正を実行することを必要とすることがあり、クラスＢ  ＷＴＲＵのための較正は、ＡＰがクラスＡ  ＷＴＲＵを較正することを妨げないことができる。加えて、またはあるいは、１つのシグナリング選択肢においては、共通ＴＰＣパラメータは、共通ＨＥ−ＳＩＧ−Ｂフィールド内において送信され、ＡＰによって必要とされる目標受信電力を示すために使用することができ、一方、ユーザ固有のＴＰＣパラメータは、クラスＡおよびクラスＢ  ＷＴＲＵの両方について、測定における追加の変動性を補償するために、各ユーザ固有のＨＥ−ＳＩＧ−Ｂフィールド内において送信される。別のシグナリング選択肢においては、共通ＴＰＣパラメータは、共通ＨＥ−ＳＩＧ−Ｂフィールド内において送信され、ＡＰによって必要とされる目標受信電力を示すために使用することができ、一方、ユーザ固有のＴＰＣパラメータは、クラスＢ  ＷＴＲＵだけについて、測定における追加の変動性を補償するために、各ユーザ固有のＨＥ−ＳＩＧ−Ｂフィールド内において送信することができる。別のシグナリング選択肢においては、ユーザ固有のＴＰＣパラメータは、（クラスＡおよびＢ  ＷＴＲＵの両方について）目標受信電力を識別し、（クラスＡおよびＢ  ＷＴＲＵの両方について、またはクラスＢ  ＷＴＲＵだけについて）測定における追加の変動性を補償するために、各ユーザ固有のＨＥ−ＳＩＧ−Ｂフィールド内において送信することができる。
【００６９】
クラスＡ  ＷＴＲＵだけが許可される例においては、ひとたび、ＡＰが、送信されるＷＴＲＵをスケジュールし、トリガフレームを送信し、ＷＴＲＵ１乃至ＷＴＲＵ８が、トリガフレームを受信すると、ＷＴＲＵ１乃至ＷＴＲＵ４は、チャネルセンシングが必要とされる場合は、チャネル上において、空きチャネル判定（ＣＣＡ）を実行することができる。ＣＣＡが、空きであるとき、ＷＴＲＵ１およびＷＴＲＵ２は、それらに割り当てられたリソース上において、送信することができ、ＷＴＲＵ３およびＷＴＲＵ４は、ランダムアクセスリソースを求めて競争することができ、勝利したＷＴＲＵが、リソース上において、送信する。そのような例においては、ＷＴＲＵ５乃至ＷＴＲＵ８は、この送信機会（ＴｘＯＰ）の間、送信しない。
【００７０】
クラスＢ  ＷＴＲＵだけが許可される例においては、ひとたび、ＡＰが、送信のためにＷＴＲＵをスケジュールし、トリガフレームを送信し、ＷＴＲＵ１乃至ＷＴＲＵ８が、トリガフレームを受信すると、ＷＴＲＵ５乃至ＷＴＲＵ８は、チャネルセンシングが必要とされる場合は、チャネル上において、ＣＣＡを実行することができる。ＣＣＡが、空きであるとき、ＷＴＲＵ５およびＷＴＲＵ６は、それらに割り当てられたリソース上において、送信することができ、ＷＴＲＵ７およびＷＴＲＵ８は、ランダムアクセスリソースを求めて競争することができ、勝利したＷＴＲＵが、リソース上において、送信する。そのような例においては、ＷＴＲＵ１乃至ＷＴＲＵ４は、このＴｘＯＰの間、送信しない。
【００７１】
クラスＡおよびクラスＢ  ＷＴＲＵの両方が許可される例においては、ひとたび、ＡＰが、送信のためにＷＴＲＵをスケジュールし、ＡＰが、トリガフレームを送信し、ＷＴＲＵ１乃至ＷＴＲＵ８が、トリガフレームを受信すると、ＷＴＲＵ１乃至ＷＴＲＵ８は、チャネルセンシングが必要とされる場合は、チャネル上において、ＣＣＡを実行することができる。ＣＣＡが、空きであるとき、ＷＴＲＵ１、ＷＴＲＵ２、ＷＴＲＵ５、およびＷＴＲＵ６は、それらに割り当てられたリソース上において、送信することができ、ＷＴＲＵ３、ＷＴＲＵ４、ＷＴＲＵ７、およびＷＴＲＵ８は、ランダムアクセスリソースを求めて競争することができ、勝利したＷＴＲＵが、リソース上において、送信する。
【００７２】
ＷＴＲＵが、トリガフレームを処理した後、ＡＰは、対応するＷＴＲＵから送信を受信し、その後、対応するＷＴＲＵに肯定応答を送信することができる。
【００７３】
別のまたは代替的な実施形態は、各ＷＴＲＵのために必要とされる補償を推定するために、ＡＰに較正を実行させることによって、異なる電力レベルを有するＵＬ  ＭＵ送信に対処することができる。さらに、ＡＰは、ＷＴＲＵを較正し、特定のＷＴＲＵをスケジュールするときに使用することができる、送信電力事前補正係数を推定することができる。事前補正係数は、トリガフレームによってシグナリングすることができる。これは、クラスＡおよびクラスＢ  ＷＴＲＵが、同じＵＬ  ＭＵ送信において、スケジュールされること、またはクラスＢ  ＷＴＲＵが、単独で送信されることを可能にする。
【００７４】
図７は、較正のための例示的な手順を示している。７０３において、ＡＰ７０１は、ＴＰＣ較正要求または較正フレームを、ＷＴＲＵまたはＷＴＲＵのグループ７０２に、送信することができる。この要求は、応答型、または非応答型（すなわち、自律型）とすることができる。較正フレームは、ＡＰによって使用される送信電力を含むことができ、情報は、ビーコンフレームの一部として配置することができ、および／または情報は、バッファステータス要求の一部として配置することができる。
【００７５】
７０４において、較正フレームを受信したことに応答して、ＷＴＲＵ７０２は、受信された較正フレームのＲＳＳＩを測定し、その後、ＡＰまでの経路損失を推定する。
【００７６】
７０５において、１つまたは複数のＷＴＲＵ７０２のうちの各ＷＴＲＵは、次に、較正応答をＡＰ７０１に送信することができる。各ＷＴＲＵによって提供される較正応答は、以下のうちの、すなわち、ＡＰ７０１へのＷＴＲＵ７０２の送信電力、較正フレームに起因してＷＴＲＵによって測定されたＲＳＳＩ、ＡＰ７０１が較正応答をそれで受信するとＷＴＲＵが予想する受信電力のうちの１つまたは複数を含むことができる。応答は、専用較正応答フレームとして、送信することができ、および／または応答は、バッファステータス応答の一部として、送信することができる。
【００７７】
７０６において、較正応答フレームを受信したことに応答して、ＡＰ７０１は、較正応答フレームのＲＳＳＩを測定し、この値をＡＰ７０１における予想されるＲＳＳＩと比較する。ＡＰ７０１は、測定されたＲＳＳＩと、較正フィードバックフレーム内において見出される予想されるＲＳＳＩとの間の差として、補償係数を推定することができる。７０７において、ＡＰ７０１は、任意選択で、このプロセスを反復して複数回実行し、結果の補償係数を平均することができる。
【００７８】
７０８において、ＡＰ７０１は、複数の電力クラスからユーザをスケジュールし、推定された補償係数によって、各ユーザについての送信電力を変更することができる。あるいは、ＡＰ７０１は、補償係数をＷＴＲＵ７０２の各々に送信し、いずれのマルチユーザ送信についても、補償係数によって示された量だけ、推定された送信電力を変更するように、各ＷＴＲＵ７０２に求めることができる。補償係数は、各ＷＴＲＵ７０２について別々に計算し、各ＷＴＲＵ７０２に個々に提供することができる。あるいは、ＡＰ７０１は、１つまたは複数のＷＴＲＵ７０２がその電力を一定量だけ増加／減少すべきことを示すパラメータを、ＷＴＲＵ７０２に送信することができる。これは、ＷＴＲＵ７０２に個々に提供することもできる。一例においては、量子化された一定量は、ＡＰ７０１によってシグナリングされた増分のセット（例えば、＋／−０．２５ｄＢｍ、＋／−０．５ｄＢｍ、＋／−０．７５ｄＢｍ、＋／−１ｄＢｍ））のうちの１つとすることができる。
【００７９】
図２に関連して説明されたものなどの通信システムから生じる状況においては、狭帯域干渉が、生じることがある。１つまたは複数の実施形態によれば、ＵＬ  ＭＵ送信のためのＲＵサイレンシングが、干渉および／または貧弱な性能を回避または緩和することができるＲＵブランク化送信を可能にするシグナリングのために、検討される。
【００８０】
ＵＬ  ＭＵ送信におけるＲＵサイレンシングのための１つまたは複数の実施形態においては、ＨＥ−ＳＩＧ−Ｂの共通サブフィールドを普通通り送信することができる。しかしながら、サイレンシングすることができるいずれのＲＵについても、対応するユーザ固有のＨＥ−ＳＩＧ−Ｂは、ＡＰによって、１つまたは多数のＲＵがサイレンシングされることをＷＴＲＵに示すように、変更することができる。
【００８１】
ＲＵサイレンシングは、以下のシナリオのうちの、すなわち稠密なネットワークにおいて、複数のＡＰが、それらの送信が２０ＭＨｚ未満レベルにおいて互いに直交することを保証するために、調整を行うことができるシナリオ、ＡＰが、あるＲＵが送信失敗を起こしやすいことを、バックオフをもたらすＣＣＡ閾値をトリガしないことがある狭帯域干渉源に基づいて、観測することができるシナリオ、および／またはＡＰが、物理レイヤセキュリティ手段として、ユーザ情報のスケジューリングおよび送信をランダム化することに決定することができるシナリオのうちの少なくともいずれか１つにおいて、使用することができる。
【００８２】
図８は、ＩＥＥＥ８０２．１１ａｘ  ＷＴＲＵのためのＭＵ−ＭＩＭＯ割り当ての配置および数についての例示的な表を示している。「ｙｙｙ」によって示されるエントリは、任意の数０００乃至１１１に等しくすることができ、ＭＵ−ＭＩＭＯ  ＷＴＲＵの数を示すことができる。１つまたは複数の「ｘ」を有するすべてのエントリは、規格によって決定されるべきビットを示している。図８においては、空のＲＵ（すなわち、サイレンシングされたＲＵ）を指定することを可能にするためのメカニズムが存在しないことに留意されたい。サイレンシングされたＲＵを有することは、上で説明されたように、あるＲＵが貧弱な性能を有すること、および／または干渉を経験していることを、ＡＰが認識することができたケースにおいて、役立てることができる。
【００８３】
図９Ａは、共通部分およびユーザ固有部分を有する、ＨＥ−ＳＩＧ−Ｂ構造の例を示している。別の例においては、図９Ｂは、図９Ａのユーザ固有部分をより詳細に示している。ユーザ固有部分は、少なくとも１つのＷＴＲＵのためのＲＵ割り当てを有することができる。また別の例においては、図９Ｃは、特定のシナリオについて、９ＡのＨＥ−ＳＩＧ−Ｂ構造をより詳細に示しており、具体的には、図９Ｃは、割り当てられた７つのＲＵが存在し、（左から）第２のＲＵ９０１および第７のＲＵ９０２がサイレンシングされる（すなわち、サイレンス信号）ことを、ＲＵ割り当てが示す例を示している。
【００８４】
一実施形態においては、サイレンシングされたＲＵに対応する、ユーザ固有のＨＥ−ＳＩＧ−Ｂサブフィールドは、ゼロになるように設定することができる。別の実施形態においては、符号化に悪影響を及ぼすことがあるゼロの長い連続を防止するために、サイレンシングされたＲＵに対応するユーザ固有のＨＥ−ＳＩＧ−ＢサブフィールドのＷＴＲＵ識別（ＩＤ）要素は、特定のパターン（例えば、ゼロ）になるように設定することができ、ユーザ固有サブフィールドの残りは、ダミーデータを用いてパディングすることができ、加えて、またはあるいは、ＲＵが占有されていないことを示すために、サイレンシングされたＲＵに対応するユーザ固有のＨＥ−ＳＩＧ−Ｂサブフィールドに、追加のフィールドを追加することができる。一実施形態においては、サイレンシングされたＲＵに対応するユーザ固有のＨＥ−ＳＩＧ−Ｂサブフィールドの空間時間ストリーム数（ＮＳＴＳ）フィールドは、ゼロになるように設定することができる。
【００８５】
例においては、ＲＵサイレンシングを示すために、図９Ｄに示されるようなＨＥ−ＳＩＧ−Ｂ構造、図８の未使用８ビットインデックス＃＃＃＃  ＃＃＃＃を使用することができる。表１は、例えば、決定される図８の８ビットインデックスを示しており、されるならば、どのＲＵがサイレンシングされるかに相関するように定義することができ、どの８ビットインデックス組み合わせが１つまたは複数のＲＵに相関することができるかを示すために、任意の番号付けシステムを使用することができ、表において提供されるものは、例にすぎないことに留意されたい。図９Ｄの例においては、９１１において示されるような、新たに定義された８ビットインデックス００００  ００００が、ＨＥ−ＳＩＧ−Ｂフィールドの共通フィールドにおいてシグナリングされるとき、示されたＲＵサイレンシングに対応するＷＴＲＵ固有のフィールドは、ＷＴＲＵ固有のフィールドについてのシグナリングオーバヘッドを節約することができるように、送信しないことができ、したがって、図９Ｄの例においては、サイレンシングなしの９つすべてのＲＵ割り当てが、示されている。図９Ｅに示される別の例においては、９２１に示された８ビットインデックス０００１  ００１０は、９つの２６トーンＲＵ割り当てについての第２の２６トーンＲＵのサイレンシングをシグナリングするために、定義することができる。
【００８６】
図９Ｄおよび図９Ｅの例においては、共通フィールドにおけるＲＵ割り当てシグナリングは異なるが、ＨＥ−ＳＩＧ−Ｂ構造は、維持することができる。０００１００１０である図９Ｅの共通フィールド９２１と比較して、００００００００である図９Ｄの共通フィールド９１１を見られたい。共通フィールド９１１は、９つの２６トーンＲＵ割り当てを示しており、共通フィールド９２１は、ＷＴＲＵ固有フィールド内の第２のＲＵがサイレンシングされた、８つの２６トーンＲＵ割り当てを示している。構成可能なＲＵサイレンス構成と未使用８ビットインデックスとの間の対応付けは、以下の表１に示されるもののような、ＲＵ割り当てシグナリング表において、事前定義または指定することができる。全部で１６＋３２＋３２＝８０の未使用エントリが、利用可能であるので、最大で８０のＲＵサイレンシング構成をサポートすることができる。
【００８７】
【表１】
2019511867.tif 000003
【００８８】
ＲＵサイレンシングは、図１０の例示的な手順に示されるような、１つまたは複数の実施形態において、狭帯域干渉回避を達成することができる。１００１において、ＡＰは、図８において開示されたものなどの、ＲＵ割り当てに従って、２６トーンＲＵ粒度における、ＯＦＤＭＡ送信（ダウンリンクまたはアップリンク）についてのパケット成功／失敗（例えば、ＡＣＫ）を追跡することができる。
【００８９】
図１１に示されるような一実施形態においては、各最小の可能なＲＵは、ストレージバケットなど、誤り追跡メカニズムに相関することができる。ストレージバケットは、ストレージバケット１がＲＵ１に相関し、ストレージバケット２がＲＵ２に相関し、以降も同様である、図１１に示されるように、割り当てることができる。加えて、ＲＵ１０は、ストレージバケット１および２を包含する。ストレージバケットの割り当ては、図８に示されるような、ＲＵ割り当てに類似する。図１１の一例においては、ＲＵ１についてのパケットが失敗した場合、この実施形態における代替的な例においては、ストレージバケット１は、インクリメントすることができる。ＲＵ１０が失敗した場合、ストレージバケット１および２が、インクリメントされる。ストレージバケットに対するこれらのインクリメントは、ネットワークについての誤り統計を提供することができる。
【００９０】
図１０の例示的なプロセスに戻ると、狭帯域干渉を有するシナリオにおいては、ストレージバケットの誤り統計は、ネットワークにおける狭帯域干渉の存在を示すことができ、１００２において、ＡＰは、これらのインジケーションを使用して、狭帯域干渉を有する特定のＲＵを識別することができる。１００３において、ＡＰは、本明細書において説明されるようなトリガフレームのＨＥ−ＳＩＧ−ＢにおけるＲＵサイレンシングメカニズムを使用して、先に追跡された狭帯域干渉統計に対応するＲＵをサイレンシングした、ＯＦＤＭＡ送信をスケジュールすることができる。
【００９１】
ＲＵサイレンシングは、例えば、図１２Ａに示されるような状況において、干渉を緩和するために、使用することもできる。図１２Ａにおいては、ＡＰ２０１ａの１つのＢＳＳ２０３が、別名オーバラッピングＢＳＳ（ＯＢＳＳ）と呼ばれる、ＡＰ２０１ｂの第２のＢＳＳ２０７と重なり合うカバレージを有し、さらに、ＷＴＲＵ２０２ｂおよび２０２ａが、ＡＰ２０１ａのＢＳＳ２０３に接続され、ＷＴＲＵ２０２ｃおよび２０２ｄが、ＡＰ２０１ｂのＢＳＳ２０７に接続される、例示的な環境が、示されている。
【００９２】
図１２Ａに示されるような例において、干渉を緩和するために、ＲＵサイレンシングを使用することは、図１２Ｂに示されるような手順によって、達成することができる。一実施形態においては、１２０１において、ＡＰ２０１ａは、ＡＰ２０１ｂと無線２１７で調整を行うことができる。あるいは、ＡＰ２０１ａおよびＡＰ２０１ｂは、別の直接的または間接的な有線接続を通して、通信することができる。１２０２において、ＡＰ２０１ａおよびＡＰ２０１ｂは、稠密なネットワークにおける干渉緩和を可能にするために、送信のための好ましいＲＵを示すことによって、ネゴシエートすることができる。別の実施形態においては、３つ以上のＡＰが、存在することができ、調整およびネゴシエーションは、集中化または分散することができ、ならびに／または調整およびネゴシエーションは、ネットワーク上において接続されるが、関連するＢＳＳの外部にある、別のＷＴＲＵまたはＡＰによって、実行することができる。
【００９３】
１２０３において、ＡＰ２０１ａは、本明細書において説明されるような、トリガフレームのＨＥ−ＳＩＧ−Ｂにおける、ＲＵサイレンシングメカニズムを使用することによって、互いに干渉する、２０３および２０７のＯＢＳＳのＲＵをサイレンシングするなど、１２０２のネゴシエーションに基づいてＲＵをサイレンシングした、ＯＦＤＭＡ送信をスケジュールすることができる。あるいは、互いに干渉するＡＰが、互いに直交する好ましいＲＵを設定するような方法で、ＲＵを選択することができる。
【００９４】
さらに、サブチャネライゼーションを使用する、ＤＬ  ＨＥ−ＭＵ−ＰＰＤＵにおけるＲＵ抑制メカニズムは、異なるＲＵ割り当てに異なる送信電力を割り当てて、与えられたリソース上において、より僅かなエネルギーが送信されることを可能にすることができる。各ＲＵにおいて使用される送信電力は、（ＯＢＳＳにおいて干渉を抑制するために必要とされる）閾値よりも小さいが、送信機と受信機との間で送信を成功させるために必要とされる送信電力以上である値になるように、設定することができる。
【００９５】
図２におけるものなど、ＭＵ−ＭＩＭＯ方式を使用する通信システムにおいては、異なる処理能力およびタイミングオフセットを有するＷＴＲＵのためのアップリンク送信が、生じることができる。複数のＷＴＲＵが、一緒に送信するとき、送信されたパケットは、異なる時刻に、受信機（例えば、ＡＰ）に到着することができる。これは、ＡＰが、すべてのＷＴＲＵとは異なるラウンドトリップ伝搬遅延および／または処理遅延を有することがあるために、生じることができる。ＷＴＲＵの異なる処理能力およびタイミングオフセットに基づいて、パケットが限られた時間窓内において受信機に到着することを保証するための方法を、検討することができる。パケットがＡＰに同時に到着することを保証し、ＵＬ  ＭＵ送信のためのタイミング同期およびトリガパディングに対処するために、少なくとも１つの実施形態は、トリガフレームの適切なパディングとタイミング調整との組み合わせを検討する。
【００９６】
図１３Ａは、１つまたは複数の実施形態において、トリガパディングに対処するための例示的な手順を示している。１３０１において、ＷＴＲＵとＡＰとの間において、アソシエーションが、生じることができる。ＷＴＲＵアソシエーションは、ＷＴＲＵが、ＡＰにプローブ要求を送信することと、ＡＰが、ＷＴＲＵにそれの能力を通知するプローブ応答を送信することと、ＷＴＲＵが、認証を実行し、アソシエーション要求、それがＢＳＳに参加することを望むことを示すインジケーションをＡＰに送信することと、ＡＰが、ＷＴＲＵが承認されたかどうかを示すアソシエーション応答を送信することとを含むことができる。
【００９７】
１３０２において、ＷＴＲＵがＢＳＳに入るときに実行される、ＷＴＲＵアソシエーションの間、ＡＰは、ＡＰがパディングレベルを推定することを可能にするために、各ＷＴＲＵによって必要とされるパケット拡張の量を測定または推定することができる。あるいは、ＷＴＲＵは、ＷＴＲＵによって必要とされるパケット拡張の量を、アソシエーション応答の間に、パラメータとしてＡＰに送信すること、または能力情報として送信することができる。
【００９８】
１３０３において、ＡＰは、すべてのＷＴＲＵが、トリガフレームの処理を完了し、トリガフレームの終りのＳＩＦＳ内において返答することができることを保証するために必要とされる、パディングを推定することができる。トリガフレームをより速く処理することができるＷＴＲＵに対しては、より小さいパディングを使用することができ、一方、より長い時間をかけてトリガフレームを処理することができるＷＴＲＵに対しては、より大きいパディングを使用することができる。したがって、ＷＴＲＵの能力に基づいて、ＡＰによって、ＳＩＦＳを決定することができる。
【００９９】
一実施形態においては、パディングは、ＨＥ−ＰＰＤＵトリガのためのトリガフレーム上におけるパケット拡張として、実施することができる。あるいは、または加えて、パディングは、非ＨＴベースのＰＰＤＵトリガのための集約されたダミーＭＡＣフレームとして、実施することができる。
【０１００】
１３０４において、ＡＰは、すべてのＷＴＲＵがそれらの送信をＡＰにおいて揃えることを保証するために、タイミング調整を推定することができる。大きい伝搬遅延を有するＷＴＲＵは、送信を早く開始することができ、一方、小さい伝搬を経験するＷＴＲＵは、送信をより遅く開始することができる。
【０１０１】
先行するフレーム交換において、ＡＰは、ＷＴＲＵが肯定応答（ＡＣＫ）を返信するために使用する、ＷＴＲＵについての送信時間および応答時間を測定することができる。ＡＰは、各ＷＴＲＵについての伝搬遅延のリストを維持することができる。ＡＰは、後続する関連付けられたＵＬ−ＣＯＢＲＡ送信のために一緒にグループ化するＷＴＲＵの識別のために、このリストを使用することができる。ＡＰは、各ＷＴＲＵまたはＷＴＲＵのグループのために必要とされるタイミング進み、およびトリガフレームのために必要とされる全体的なパディングを推定するためにも、この情報を使用することもできる。したがって、ＭＵグループ内のＷＴＲＵについて送信を揃えることは、パディングおよびタイミング調整の両方の関数とすることができる。
【０１０２】
例においては、対応するパケット拡張パディングパラメータである（ａｌｐｈａ＿１、ａｌｐｈａ＿２、．．．、ａｌｐｈａ＿ｎ）、およびタイミング調整である（ｔ１、ｔ２、．．．、ｔｎ）を有する、ｎ個のＷＴＲＵ（例えば、ＷＴＲＵ１、ＷＴＲＵ２、．．．、ＷＴＲＵ  ｎ）が存在することを仮定することができ、その場合、８０２．１１ａｘのタスクグループａｘ（ＴＧａｘ）によって要求されるような、＋／−０．４μｓｅｃ以内の到着を保証するために、以下の式を適用することができる。
【０１０３】
Ｆ（ａｌｐｈａ＿１，ｔ１）≒Ｆ（ａｌｐｈａ＿２，ｔ２）≒Ｆ（ａｌｐｈａ＿ｎ，ｔｎ）
１３０５において、タイミング進みおよびパディング情報は、送信の開始のインジケーションを提供するアクションフレーム（例えば、トリガフレーム）内において、ＡＰによって各ＷＴＲＵに送信することができる。
【０１０４】
実施形態においては、ＡＰは、ＷＴＲＵｉのためのパラメータ（パディングパラメータａｌｐｈａ＿ｉおよびタイミング調整ｔｉ）を合同で設計し、各ＷＴＲＵ毎に、パディングパラメータａｌｐｈａおよびタイミング調整ｔの別々の値をもたらすことができる。このシナリオにおいては、トリガフレームは、ＨＥ−ＳＩＧ−Ｂ  ＷＴＲＵ固有のサブフィールドにおけるパラメータフィールドとして、パラメータａｌｐｈａ＿ｉおよびｔｉを送信することができる。
【０１０５】
ＡＰは、すべてのＷＴＲＵのためのパラメータａｌｐｈａを合同で設計し、その後、各ＷＴＲＵ毎に、パラメータｔｉを別々に設計することができる。このシナリオにおいては、トリガフレームは、ＨＥ−ＳＩＧ−Ｂ共通サブフィールドにおいて、パラメータａｌｐｈａ＿ｉを、ＨＥ−ＳＩＧ−Ｂ  ＷＴＲＵ固有のサブフィールドにおけるパラメータフィールドとして、各パラメータｔｉを送信することができる。
【０１０６】
例えば、ａｌｐｈａは、ＷＴＲＵのグループにおける最悪ケースのＷＴＲＵに基づいて、選択することができる。このケースにおいては、各ＷＴＲＵについてのパラメータｔｉの値は、１回推定され、タイミング調整は送信される任意のフレームのラウンドトリップ時間に基づくことができるので、いずれの送信においても使用することができる。加えて、または代替として、パラメータａｌｐｈａは、基準レベルに基づいて、選択することができる。このケースにおいては、タイミング調整は、各パケット拡張（ＰＥ）レベル毎に、推定することができる。パケットは、受信機にデコードのための時間を与えるために、ダミーデータによって拡張することができる。ＰＥレベルは、例えば、１／４、１／２、３／４、または１ＯＦＤＭシンボルとすることができる。
【０１０７】
図１３Ｂは、時間同期に対処するための手順の例を示している。１３１１において、ＡＰは、送信するデータを有するＷＴＲＵを決定するために、グループに属するすべてのＷＴＲＵに対して、バッファステータス要求（ＢＳＲ）を実行することができる。ＢＳＲフレームにおいて、ＡＰは、ＢＳＲ応答フレームのタイムスタンプを報告するように、意図するＷＴＲＵに要求することができる。ＢＳＲ応答フレーム内において、第ｋのＷＴＲＵは、自らのタイムスタンプＴ０ｋを報告することができる。
【０１０８】
ＡＰは、第ｋのＷＴＲＵについてのＢＳＲ応答フレームの到着の時間を、Ｔ１ｋとして記録することができる。１３１２において、Ｔ０ｋ、Ｔ１ｋ、ならびにＢＳＲ応答フレームの送信順序および持続時間に従って、ＡＰは、第ｋのＷＴＲＵの伝搬遅延および処理遅延の合計を決定し、それをΔｋとして記録することができる。加えて、またはあるいは、ＡＰは、ＷＴＲＵアソシエーションの間に、この情報を要求することができる。
【０１０９】
１３１３において、ＡＰは、すべてのΔｋ、ｋ＝１、．．．、Ｋを収集し、（合同推定のケースにおいては）ＷＴＲＵの特定のパディング係数に基づいて、または（別々の推定のケースにおいては）ＵＬ  ＭＵ送信についてのパディング係数の決定された値に基づいて、各ＷＴＲＵについてのタイミング補正を決定することができる。正の値のＴｋは、タイミング遅れを表すことができ、負の値のＴｋは、タイミング進みを表すことができ、または反対とすることができる。
【０１１０】
１３１４において、ＡＰは、パラメータＴｋおよびパラメータａｌｐｈａを量子化し、それらをトリガフレーム内においてＷＴＲＵに送信することができる。ＷＴＲＵが、パラメータＴｋを受信したとき、それらは、トリガパケット拡張（すなわち、パディング）を考慮した後に、タイミング遅れまたはタイミング進みを実行することができる。
【０１１１】
１３１５において、ＡＰは、タイミング補正が、ＷＴＲＵの現在のグループに関して満足することができるものでない（例えば、ＷＴＲＵ間の時間差が大きすぎる）ときは、ＵＬ  ＣＯＢＲＡグループを再定義することができ、または別のグループ化戦略を適用することができる。
【０１１２】
上述の例示的な手順に従って、タイミング補正のために、遅延を利用することができる。別の例においては、タイミング補正を計算するために、ラウンドトリップ遅延を利用することができる。
【０１１３】
本明細書において説明される実施形態は、８０２．１１固有のプロトコルを考えているが、本明細書において説明されるソリューションは、８０２．１１に制限されず、他の無線システムおよび規格（例えば、ＬＴＥ、ＬＴＥ−Ａ、ＷｉＭＡＸ、５Ｇなど）にも同様に適用可能であることを理解することができよう。
【０１１４】
設計および手順の例においては、様々なフレーム間隔を示すために、ＳＩＦＳが使用されるが、同じ実施形態において、縮小フレーム間隔（ＲＩＦＳ）または他の合意された時間間隔など、他のすべてのフレーム間隔を適用することができる。
【０１１５】
特定の規格であるＩＥＥＥ８０２．１１プロトコルに対する言及がなされたが、本明細書において開示される実施形態は、いずれのＩＥＥＥ８０２．１１プロトコルとも独立して、または併せて、使用することができる。
【０１１６】
上では特徴および要素が特定の組み合わせで説明されたが、各特徴または要素は、単独で使用することができ、または他の特徴および要素との任意の組み合わせで使用することができることを当業者は理解されよう。加えて、本明細書において説明された方法は、コンピュータまたはプロセッサによって実行される、コンピュータ可読媒体内に包含された、コンピュータプログラム、ソフトウェア、またはファームウェアで実施することができる。コンピュータ可読媒体の例は、（有線または無線接続上で送信される）電子信号、およびコンピュータ可読記憶媒体を含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含むが、それらに限定されない。ソフトウェアと連携するプロセッサを使用して、ＷＴＲＵ、ＵＥ、端末、基地局、ＲＮＣ、または任意のホストコンピュータにおいて使用するための無線周波数送受信機を実施することができる。
【図１Ａ】
2019511867.tif 000004
【図１Ｂ】
2019511867.tif 000005
【図１Ｃ】
2019511867.tif 000006
【図２】
2019511867.tif 000007
【図３】
2019511867.tif 000008
【図４】
2019511867.tif 000009
【図５】
2019511867.tif 000010
【図６Ａ】
2019511867.tif 000011
【図６Ｂ】
2019511867.tif 000012
【図６Ｃ】
2019511867.tif 000013
【図６Ｄ】
2019511867.tif 000014
【図６Ｅ】
2019511867.tif 000015
【図７】
2019511867.tif 000016
【図８】
2019511867.tif 000017
【図９Ａ】
2019511867.tif 000018
【図９Ｂ】
2019511867.tif 000019
【図９Ｃ】
2019511867.tif 000020
【図９Ｄ】
2019511867.tif 000021
【図９Ｅ】
2019511867.tif 000022
【図１０】
2019511867.tif 000023
【図１１】
2019511867.tif 000024
【図１２Ａ】
2019511867.tif 000025
【図１２Ｂ】
2019511867.tif 000026
【図１３Ａ】
2019511867.tif 000027
【図１３Ｂ】
2019511867.tif 000028
【手続補正書】
【提出日】平成30年11月6日(2018.11.6)
【手続補正１】
【補正対象書類名】特許請求の範囲
【補正対象項目名】全文
【補正方法】変更
【補正の内容】
【特許請求の範囲】
【請求項１】
干渉を最小化するために８０２．１１アクセスポイント（ＡＰ）において実施される方法において、
複数の無線送受信ユニット（ＷＴＲＵ）へ送信されることになる直交周波数分割多元接続（ＯＦＤＭＡ）信号のための高効率信号−Ｂ（ＨＥ−ＳＩＧ−Ｂ）フィールドを生成するステップであって、前記ＨＥ−ＳＩＧ−Ｂフィールドは、関連付けられたリソースユニット（ＲＵ）がサイレンシングされたことを示す事前決定された値に対応しており前記複数のＷＴＲＵの内の１つのＷＴＲＵに関連付けられた識別（ＷＴＲＵ−ＩＤ）フィールドを含んでいる、ステップと、
前記サイレンシングされたＲＵを示している前記ＨＥ−ＳＩＧ−Ｂフィールドを含む前記ＯＦＤＭＡ信号を、前記複数のＷＴＲＵに送信するステップと
を備える方法。
【請求項２】
前記複数のＷＴＲＵのタイミング調整情報のためのパディングを決定するステップと、
パディングおよびタイミング調整情報を、前記複数のＷＴＲＵに送信するステップと
をさらに備える請求項１に記載の方法。
【請求項３】
１つまたは複数の近隣ＡＰと調整を行うことによって、または、前記ＡＰと関連付けられた１つまたは複数のチャネルの状態を分析することによって、前記ＯＦＤＭＡ信号の１つまたは複数のＲＵのうちの前記ＲＵをサイレンシングすると決定するステップ
をさらに備える請求項１に記載の方法。
【請求項４】
前記決定するステップは、
１つまたは複数のＲＵのパケット失敗と関連付けられた少なくとも１つのストレージバケットをインクリメントすることと、
前記少なくとも１つのインクリメントされたストレージバケットと関連付けられた前記１つまたは複数のＲＵをサイレンシングすることと
をさらに含む請求項３に記載の方法。
【請求項５】
前記決定するステップは、
２６トーンＲＵ粒度におけるパケット失敗率が閾値を満たすかどうかを評価することと、
前記閾値が満たされたという条件で、前記パケット失敗率と関連付けられた前記１つまたは複数のＲＵのうちのＲＵをサイレンシングすることと
を含む請求項３に記載の方法。
【請求項６】
前記近隣ＡＰと調整を行うことは、
前記１つまたは複数の近隣ＡＰの１つまたは複数の好ましいＲＵを示しているメッセージを受け取ることと、
前記受け取ったメッセージに基づいて、前記好ましいＲＵをサイレンシングすること
を含む請求項３に記載の方法。
【請求項７】
干渉を最小化するアクセスポイント（ＡＰ）であって、
送受信機と、
前記送受信機に動作可能に結合されたプロセッサであって、前記送受信機および前記プロセッサは、複数の無線送受信ユニット（ＷＴＲＵ）へ送信されることになる直交周波数分割多元接続（ＯＦＤＭＡ）信号のための高効率信号−Ｂ（ＨＥ−ＳＩＧ−Ｂ）フィールドを生成するように構成され、前記ＨＥ−ＳＩＧ−Ｂフィールドは、関連付けられたリソースユニット（ＲＵ）がサイレンシングされたことを示す事前決定された値に対応しており前記複数のＷＴＲＵの内の１つのＷＴＲＵに関連付けられた識別（ＷＴＲＵ−ＩＤ）フィールドを含んでおり、
前記送受信機および前記プロセッサは、前記サイレンシングされたＲＵを示している前記ＨＥ−ＳＩＧ−Ｂフィールドを含む前記ＯＦＤＭＡ信号を、前記複数のＷＴＲＵに送信するよう構成されたＡＰ。
【請求項８】
前記送受信機および前記プロセッサは、
前記複数のＷＴＲＵのタイミング調整情報のためのパディングを決定し、
パディングおよびタイミング調整情報を、前記複数のＷＴＲＵに送信する
ようにさらに構成された請求項７に記載のＡＰ。
【請求項９】
前記送受信機および前記プロセッサは、
１つまたは複数の近隣ＡＰと調整を行うことによって、または、前記ＡＰと関連付けられた１つまたは複数のチャネルの状態を分析することによって、前記ＯＦＤＭＡ信号の１つまたは複数のＲＵのうちの前記ＲＵをサイレンシングすると決定するようにさらに構成された請求項７に記載のＡＰ。
【請求項１０】
前記送受信機および前記プロセッサは、
１つまたは複数のＲＵのパケット失敗と関連付けられた少なくとも１つのストレージバケットをインクリメントし、
前記少なくとも１つのインクリメントされたストレージバケットと関連付けられた前記１つまたは複数のＲＵをサイレンシングする
ようにさらに構成された請求項９に記載のＡＰ。
【請求項１１】
前記送受信機および前記プロセッサは、
２６トーンＲＵ粒度におけるパケット失敗率が閾値を満たすかどうかを評価し、
前記閾値が満たされたという条件で、前記パケット失敗率と関連付けられた前記１つまたは複数のＲＵのうちのＲＵをサイレンシングする
ようにさらに構成された請求項９に記載のＡＰ。
【請求項１２】
前記送受信機および前記プロセッサは、
前記１つまたは複数の近隣ＡＰの１つまたは複数の好ましいＲＵを示しているメッセージを受け取り、
前記受け取ったメッセージに基づいて、前記好ましいＲＵをサイレンシングする
ようにさらに構成された請求項９に記載のＡＰ。
【請求項１３】
無線送受信ユニット（ＷＴＲＵ）において使用される方法において、
８０２．１１アクセスポイント（ＡＰ）から、ＷＴＲＵ固有の高効率共通信号−Ｂ（ＨＥ−ＳＩＧ−Ｂ）フィールドを用いて、プリアンブルを含む直交周波数分割多元接続（ＯＦＤＭＡ）信号を受信するステップであって、前記ＨＥ−ＳＩＧ−Ｂフィールドは、１つまたは複数のリソースユニット（ＲＵ）を示している少なくとも１つのＷＴＲＵ−ＩＤフィールドを含む、ステップと、
前記ＯＦＤＭＡ信号から、前記ＷＴＲＵ−ＩＤフィールド内の値が、対応するＲＵがサイレンシングされたことを示している事前決定された値に対応するかどうかを決定するステップと
を備える方法。
【国際調査報告】
2019511867.tif 000029
2019511867.tif 000030
2019511867.tif 000031
2019511867.tif 000032